(57)【要約】      （修正有）【課題】腰まわりの通気性を向上してベルト本体を衛生的に保ち、また腰ベルトの挿通具が紛失しないようにする工具類の吊り下げ用ベルトを提供する。【解決手段】ベルト本体の内側に設けられる腰当て部の表面に多孔部材を設けることを特徴とする。多孔部材は抗菌材料により形成され、表面にゴム層またはウレタン層を設け、裏側に、可燒性の弾性紐状部材を相互に交差するように接続し、前記多孔部材の１個当たりの開孔の開口面積よりも、１個当たりの開孔の開口面積が大きい開口部を有する通気用の芯材を設けた。【選択図】図１
0003152318.tif 000002
【実用新案登録請求の範囲】
【請求項１】
腰ベルトの挿通具を設けた横長なベルト本体と、このベルト本体に設けられる工具類の吊り下げ用受け部を備えた工具類の吊り下げ用ベルトにおいて、前記ベルト本体の内側に設けられる腰当て部の表面に多孔部材を設け、この多孔部材は抗菌材料により形成することを特徴とする工具類の吊り下げ用ベルト。
【請求項２】
腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設けることを特徴とする工具類の吊り下げ用ベルト。
【請求項３】
腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設け、この多孔部材の表面にゴム層またはウレタン層を設けたことを特徴とする工具類の吊り下げ用ベルト。
【請求項４】
前記ゴム層又はウレタン層を前記多孔部材の表面に積層して設けることを特徴とする請求項３記載の工具類の吊り下げ用ベルト。
【請求項５】
腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設けると共に、この多孔部材の裏側に、可撓性の弾性紐状部材を相互に交差するように接続し、前記多孔部材の１個当たりの開孔の開口面積よりも、１個当たりの開孔の開口面積が大きい開口部を有する通気用の芯材を設けたことを特徴とする工具類の吊り下げ用ベルト。
【請求項６】
腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設けると共に、この多孔部材の裏側に弾性材からなる弾性芯材を設けたことを特徴とする工具類の吊り下げ用ベルト。
【請求項７】
腰ベルトの第１の挿通具を設けた横長な帯状体からなるベルト本体と、工具類の吊り下げ用受け部を備えた工具類の吊り下げ用ベルトにおいて、前記ベルト本体は内側に腰当て部を設けると共に、該腰当て部の外側に隙間を介して帯部を横向きに設け、この帯部の第１の内側部を前記隙間を介して覆う第２の内側部、前記帯部の第１の外側部、第１の上側部及び第１の下側部をそれぞれ覆う第２の外側部、第２の上側部及び第２の下側部を有して前記帯部に遊挿する環状部と、基端を前記第２の上側部側に接続すると共に先端を前記第２の外側部の外側に配置する第１のバンドと、基端を前記第２の下側部側に接続すると共に先端を前記第２の外側部の外側に配置する第２のバンドと、前記第１の先端と第２の先端との間に介在する接続手段とを備えたことを特徴とする工具類の吊り下げ用ベルト。
【請求項８】
前記接続手段が、前記第１の先端と第２の先端にそれぞれ設けられる第１のベルベットファスナーであることを特徴とする請求項７記載の工具類の吊り下げ用ベルト。
【請求項９】
腰ベルトの挿通具を設けた横長な帯状体からなるベルト本体と、工具類の吊り下げ用受け部を備えた工具類の吊り下げ用ベルトにおいて、前記ベルト本体の横向き方向の両側先端間に弾性バンドを介在することを特徴とする請求項記載の工具類の吊り下げ用ベルト。
【請求項１０】
前記弾性バンドは第２のベルベットファスナーを介して着脱自在に設けられることを特徴とする請求項９記載の工具類の吊り下げ用ベルト。
【請求項１１】
前記ベルト本体の長手方向における中央部の第一の縦幅を、両側部における第二の縦幅より大きく形成することを特徴とする請求項１〜１０のいずれか１項に記載の工具類の吊り下げ用ベルト。
【請求項１２】
前記ベルト本体の長手方向における縦幅をほぼ同じに形成することを特徴とする請求項１〜１０のいずれか１項に記載の工具類の吊り下げ用ベルト。
【請求項１３】
前記ベルト本体に局部的に補強板を設けたことを特徴とする請求項１〜１２のいずれか１項に記載の工具類の吊り下げ用ベルト。
【考案の詳細な説明】
【技術分野】
【０００１】
本考案は、作業員の腰に工具や各種部品をホルダーや袋などを介して吊り下げるための工具類の吊り下げ用ベルト似関するものである。
【背景技術】
【０００２】
従来、腰ベルトの挿通具を設けた横長な帯状体からなるベルト本体に、工具類の吊り下げ用受け部を設け、その横向き長さは作業者の腰後半分にわたるようなものであり、ベルト本体を腰にまわすと共に、挿通具に腰ベルトを通して腰に固定し、そして吊り下げ用受け部を介して工具類をベルト本体に吊り下げて携帯するものが知られている（例えば、特許文献１）。
【特許文献１】実用新案登録第３１０６３２３号公報
【考案の開示】
【考案が解決しようとする課題】
【０００３】
しかし、従来技術では、ベルト本体の内側に設けられる腰当て部は布製であってもその目が細かく通気性が低く、この結果ベルト本体を装着した腰まわりに汗が生じ易くなる。この汗によってベルト本体に雑菌が繁殖するおそれがある。
【０００４】
また、ベルト本体の腰まわりの通気性を向上するには、ベルト本体の内側に設けられる腰当て部の表面に多孔部材を設けることにより解決することができるが、多孔部材の単位面積あたりの開孔率が小さいと通気性に劣り、開孔率が大きいと引っ掛けなどによって孔が破損しやすくなるおそれがある。
【０００５】
さらに、従来技術では腰当て部は布製であったので、装着時においてズボンなどの布地に腰当て部が当たっている際に、両者間の摩擦が小さいのでベルト本体がすべり落ちてしまうおそれがある。
【０００６】
また、従来のものでは、装着時においてズボンなどの布地に腰当て部が当たっている際に腰当て部のいわゆるこし、すなわちしなやかでねばりのある強度に劣り、腰当て部が腰に局部的に当てってしまうおそれもある。
【０００７】
しかも、従来のものでは腰ベルトの挿通具がベルト本体から外れてしまい、紛失するおそれがあった。
【０００８】
解決しようとする問題点は、腰ベルトの挿通具を設けた横長なベルト本体に工具類の吊り下げ用受け部を備えた工具類の吊り下げ用ベルトにおいて、ベルト本体を衛生的に保つことができるようにする点である。また、腰まわりの通気性を向上すること、ベルト本体が腰からすべり落ちることを阻止すること、腰当て部を腰に正確に当てることができるようにすること、さらには、腰ベルトの挿通具が紛失しないようにすることである。
【課題を解決するための手段】
【０００９】
請求項１の考案は、腰ベルトの挿通具を設けた横長なベルト本体と、このベルト本体に設けられる工具類の吊り下げ用受け部を備えた工具類の吊り下げ用ベルトにおいて、前記ベルト本体の内側に設けられる腰当て部の表面に多孔部材を設け、この多孔部材は抗菌材料により形成することを特徴とする工具類の吊り下げ用ベルトである。
【００１０】
請求項２の考案は、腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設ける工具類の吊り下げ用ベルトである。
【００１１】
請求項３の考案は、腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設け、この多孔部材の表面にゴム層またはウレタン層を設けたことを特徴とする工具類の吊り下げ用ベルトである。
【００１２】
請求項４の考案は、前記ゴム層又はウレタン層を前記多孔部材の表面に積層して設けることを特徴とする請求項３記載の工具類の吊り下げ用ベルトである。
【００１３】
請求項５の考案は、腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設けると共に、この多孔部材の裏側に、可撓性の弾性紐状部材を相互に交差するように接続し、前記多孔部材の１個当たりの開孔の開口面積よりも、１個当たりの開孔の開口面積が大きい開口部を有する通気用の芯材を設けたことを特徴とする工具類の吊り下げ用ベルトである。
【００１４】
請求項６の考案は、腰ベルトの挿通具を設けた横長な帯状体からなるベルト本体と、工具類の吊り下げ用受け部を備えた工具類の吊り下げ用ベルトにおいて、前記ベルト本体の内側に設けられる腰当て部の表面に多孔部材を設けると共に、この多孔部材の裏側に弾性材からなる弾性芯材を設けたことを特徴とする工具類の吊り下げ用ベルトである。
【００１５】
請求項７の考案は、腰ベルトの第１の挿通具を設けた横長な帯状体からなるベルト本体と、工具類の吊り下げ用受け部を備えた工具類の吊り下げ用ベルトにおいて、前記ベルト本体は内側に腰当て部を設けると共に、該腰当て部の外側に隙間を介して帯部を横向きに設け、この帯部の第１の内側部を前記隙間を介して覆う第２の内側部、前記帯部の第１の外側部、第１の上側部及び第１の下側部をそれぞれ覆う第２の外側部、第２の上側部及び第２の下側部を有して前記帯部に遊挿する環状部と、基端を前記第２の上側部側に接続すると共に先端を前記第２の外側部の外側に配置する第１のバンドと、基端を前記第２の下側部側に接続すると共に先端を前記第２の外側部の外側に配置する第２のバンドと、前記第１の先端と第２の先端との間に介在する接続手段とを備えたことを特徴とする工具類の吊り下げ用ベルトである。
【００１６】
請求項８の考案は、前記接続手段が、前記第１の先端と第２の先端にそれぞれ設けられる第１のベルベットファスナーであることを特徴とする請求項７記載の工具類の吊り下げ用ベルトである。
【００１７】
請求項９の考案は、腰ベルトの挿通具を設けた横長な帯状体からなるベルト本体と、工具類の吊り下げ用受け部を備えた工具類の吊り下げ用ベルトにおいて、前記ベルト本体の横向き方向の両側先端間に弾性バンドを介在することを特徴とする請求項記載の工具類の吊り下げ用ベルトである。
【００１８】
請求項１０の考案は、前記弾性バンドは第２のベルベットファスナーを介して着脱自在に設けられることを特徴とする請求項９記載の工具類の吊り下げ用ベルトである。
【００１９】
請求項１１の考案は、前記ベルト本体の長手方向における中央部の第一の縦幅を、両側部における第二の縦幅より大きく形成することを特徴とする請求項１〜１０のいずれか１項に記載の工具類の吊り下げ用ベルトである。
【００２０】
請求項１２の考案は、前記ベルト本体の長手方向における縦幅をほぼ同じに形成することを特徴とする請求項１〜１０のいずれか１項に記載の工具類の吊り下げ用ベルトである。
【００２１】
請求項１３の考案は、前記ベルト本体に局部的に補強板を設けたことを特徴とする請求項１〜１２のいずれか１項に記載の工具類の吊り下げ用ベルトである。
【考案の効果】
【００２２】
請求項１の考案によれば、多孔シート部材を衛生的に保つことができると共に、不快な臭いの発生も阻止することができる。
【００２３】
請求項２の考案によれば、第１の多孔部により通気性能を高めると共に、第２の多孔部により強度を確保することできる。
【００２４】
請求項３の考案によれば、ゴム層又はウレタン層とズボンなどとの摩擦が大きくなり、ベルト本体が滑り落ちにくくなる
請求項４の考案によれば、ベルト本体の腰側への衝撃を和らげることができる。
【００２５】
請求項５の考案によれば、開口が大きいので十分な通気性能を果たすことができると共に、可撓性の弾性紐状部材を相互に交差するように接続して形成される凹凸によりクッション性も向上できる。
【００２６】
請求項６の考案によれば、弾性芯材の弾性により作業中などにおいてベルト本体の腰側への衝撃をいっそう和らげることができる。
【００２７】
請求項７の考案によれば、環状部に対して帯部が遊挿しているので、挿通具が帯部より抜け出るようなことはなく、紛失のおそれをなくすことができる。
【００２８】
請求項８の考案によれば、腰ベルトを取り付け後にワンタッチで先端相互を接続することができる。
【００２９】
請求項９の考案によれば、弾性バンドを緊張状態で吊り下げ用ベルを腰に取り付けることができる。
【００３０】
請求項１０の考案によれば、ワンタッチで弾性バンドをつなげたり、外すことができる。また、弾性バンドの緊張力でベルト本体を単独で装着することができる。
【００３１】
請求項１１の考案によれば、中央部の第一の縦幅を大きくすることで腰後ろ側のベルト本体との接触面積を大きくすることができる。
【００３２】
請求項１２の考案によれば、縦幅をほぼ同じに形成することで、腰まわりに均等に接触することができる。
【００３３】
請求項１３の考案によれば、補強板によって腰周りの補強を行うことができる。
【考案を実施するための最良の形態】
【００３４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３５】
図１〜図４は実施例１を示しており、工具ケースＴ類の吊り下げ用ベルトは、作業員Ｍの胴まわりの左右及び後側に一体に配置される横長なベルト本体１に工具ケースＴ類の吊り下げ用受け部２を備えたものであって、実施例では吊り下げ用受け部２はベルト本体１の左右の下縁にリングが吊り下げられており、この吊り下げ用受け部２に工具ケースＴを吊り下げて接続したり、或いは吊り下げ用受け部２に各種部品（図示せず）を収納した袋Ｐを吊り下げたりする。
【００３６】
ベルト本体１は、左右方向を長手とすると共に、帯部３の上下方向の厚みが腰ベルトＢの上下方向の厚みよりも大きく形成されている。さらにこの帯部３の内側、すなわち作業員Ｍの腰側に腰当て部４を一体的に設ける。この腰当て部４は、その横向き長手方向の長さは帯部３とほぼ同じに形成され、上下方向の厚みは帯部３の上下方向の厚みより大きく形成している。
【００３７】
前記帯部３は、伸縮性が少なく、柔軟性を有する合成樹脂によって形成されており、実施例では左右両側においては隙間なく腰当て部４が接続して一体に設けられており、後側では上下方向の隙間５を介して一体的に設けられている。そして、帯部３の後側に腰ベルトＢが通る第１の挿通具６が設けられると共に、帯部３の左右及び後側に腰ベルトＢが通る第２の挿通具７が設けられる。
【００３８】
さらに、帯部３の左右の先端間に、弾性バンド８を介在する。弾性バンド８は帯部３の左右の先端に設けられた角型リング９が設けられ、この角型リング９に弾性バンド８の左右両端を挿入し、そして弾性バンド８の左右両端を折り返すと共に、この折り返し部８Ａを弾性バンド８の中央で接続している。実施例ではこの接続を弾性バンド８の左右の先端、中央部に設けた第２のベルベットファスナー10によって形成されている。
【００３９】
第１の挿通具６は、帯部３の第１の内側部11を隙間５を介して覆う第２の内側部15、帯部３の第１の外側部12、第１の上側部13及び第１の下側部14をそれぞれ覆う第２の外側部16、第２の上側部17及び第２の下側部18を有して帯部３に遊挿する環状部19と、基端を第２の上側部17側に接続すると共に先端を第２の外側部16の外側に配置する第１のバンド20と、基端を第２の下側部18側に接続すると共に先端を外側部の外側に配置する第２のバンド21とを備え、これらは伸縮性はないものの可撓性に優れる布地によって横幅が１センチ程度のバンドによって形成されている。さらにこの第１の挿通具６においては、第１のバンド20の先端と第２のバンド21の先端との間に介在する接続手段22が設けられる。この接続手段22は、第１のベルベットファスナーによって形成される。すなわち、第１のバンド20に一方の第１のベルベットファスナーを設けると共に、第２のバンド21に他方の第１のベルベットファスナーを設け、両者のベルベットファスナー相互を貼り合わせて接続できるようになっている。このため、腰ベルトＢは帯部３と第２の外側部16の間に挿入できるようになっている。
【００４０】
第２の挿通具７は、帯部３の第１の内側部11を隙間（図示せず）を介して覆う第３の内側部23、帯部３の第１の外側部12、第１の上側部13及び第１の下側部14をそれぞれ覆う第３の外側部24、第３の上側部25及び第３の下側部26を有し、さらに第３の外側部24の上端から外側下方に向けて折り返し部27が設けられると共に、第３の上側部25に角型リング28を通して折り返せるように設けられている。さらに、左右にある第２の挿通具７においては、第３の内側部23は帯部３に相対的に固定されており、一方、後側にある第２の挿通具７は隙間５によって左右方向に移動できるようになっている。そして、角型リング28を通った折り返し部27がベルベットファスナー29を介して第３の外側部24に貼着できるようになっている。
【００４１】
前記腰当て部４は、腰側から外側にかけて、合成樹脂製メッシュ状の多孔シート部材30、開孔31を有する芯材32、弾性材からなる弾性芯材33、帯部３に一体に設けられた外側生地34とを有する。
【００４２】
多孔シート部材30は、内側の表面に第１の多孔部35を設けると共に、この第１の多孔部35の外側に第２の多孔部36を設けた布状であり、第１の多孔部35の１個あたりの第１の開口面積Ｓ１を、第２の多孔部36の１個あたりの第２の開口面積Ｓ２（多孔の孔の１個あたりの開口面積Ｓ２）より大きく形成する（Ｓ１＞Ｓ２）。
【００４３】
この第１の多孔部35と第２の多孔部36は、抗菌の合成樹脂によって形成されている。さらに、第１の多孔部35の表面には、ゴム層37が表面を平坦に形成して設けられている。このゴム層37は発泡材であって、第１の多孔部35の左右に配置されている。尚、ゴム層37にかえてウレタン層でもよい。また、第１の多孔部35の表面の中央には滑り止め帯部38が左右一対設けられている。この滑り止め帯部38は比較的摩擦係数が高い布によって形成されている。
【００４４】
開孔31を有する芯材32は、太めに形成された発泡樹脂や軟質樹脂からなるしなやかでねばりがある樹脂材料からなる弾性紐状部材39を交差するようにして一体化したものであって、弾性紐状部材39が重なった箇所は内側への凸部39Ａとなり、凸部と凸部との間に開孔31を有することで凹形状となる。この開孔31の１個あたりの第３の開口面積Ｓ３を、第１の開口面積Ｓ１、第２の開口面積Ｓ２よりも大きく形成する（Ｓ３＞Ｓ１＞Ｓ２）。
【００４５】
弾性芯材33は、しなやかでねばりがある合成樹脂製発泡材によって形成されるものであり、平板状に形成されている。そしてこの弾性芯材33の外側に外側生地34が装着されている。
【００４６】
さらに、ベルト本体１の長手方向における中央部の第一の縦幅Ｘを、両側部における第二の縦幅Ｙより大きく形成する（Ｘ＞Ｙ）。また前記滑り止め帯部38には、補強板38Ａを裏側に設ける。この補強板38Ａは塩化ビニールやＡＢＳ樹脂或いは鉄板やアルミ板のような、ベルト本体１を形成する他の材料よりも大きな耐強度を有する材料によって形成されている。
【００４７】
次に前記構成について、その作用を説明する。ベルトを腰に取り付けるには、ベルト本体１を腰まわりに配置すると共に、帯部３の左右の先端間に、弾性バンド８を介在する。この弾性バンド８は緊張状態で角型リング９を通すと共に、その先端部を弾性バンド８の中央部に第２のベルベットファスナー10を介して接続するものである。弾性バンド８の弾性力によってベルト本体１を腰に仮固定できる。そして、腰ベルトＢを第１の挿通具６、第２の挿通具７を通して取り付ける。この取り付けは第２の外側部16とバンド20，21との間、第１の外側部12と第３の外側部24との間に腰ベルトＢを通すようにする。この際、第１の挿通具６にあっては接続手段22であるベルベットファスナー相互を剥がして第１のバンド20の先端と第２のバンド21の先端とを離し、そして腰ベルトＢを第２の外側部16の外側に配置すると共に、第１のバンド20の先端と第２のバンド21の先端を接続手段22であるベルベットファスナーによって、接続して腰ベルトＢの抜け出しを阻止することができる。
【００４８】
そして、腰ベルトＢを腰の正面でバックルなどベルト金具により固定する。そして、吊り下げ用受け部２に工具ケースＴなどを紐Ｃで接続して作業を行うものである。
【００４９】
以上のように、前記実施例では請求項１に対応して、腰ベルトＢの挿通具６，７を設けた横長なベルト本体１と、このベルト本体１に設けられる工具ケースＴ類の吊り下げ用受け部２を備え、ベルト本体１の内側に設けられる腰当て部４の表面に多孔シート部材30を設け、この多孔シート部材30は抗菌材料により形成することによって、表面に汗など汚れが付着しても、雑菌の増加を阻止して常時衛生的に保つことができると共に、不快な臭いの発生も阻止することができる。
【００５０】
前記実施例では請求項２に対応して、ベルト本体１の内側に設けられる腰当て部４の表面に多孔シート部材30をメッシュ状に設け、この多孔シート部材30の表面側と裏側には、第１の多孔部35と第２の多孔部36が設けられることできる。しかも、二重メッシュ構造となるのでクッション性も向上することができる。
【００５１】
前記実施例では請求項３に対応して、ベルト本体１の内側に設けられる腰当て部４を設けることで、腰部全体をカバーする広幅サポーターが形成され、さらに腰当て部４の表面に多孔シート部材30を設け、この多孔シート部材30の表面にゴム層37を設けたことで、ズボンなどにベルト本体１が当接するときに、ゴム層37が介在するのでゴム層37とズボンなどとの摩擦が大きくなり、ベルト本体１が滑り落ちにくくなる。また、ゴム層37で各種の模様や文字、記号などを設けることができ、デザイン性も向上することができる。
【００５２】
前記実施例では請求項４に対応して、ゴム層37が発泡性であることにより、クッション性に優れることで、ベルト本体１側の負荷が直接的に腰に加わりにくく、作業中などにおいてベルト本体１の腰側への衝撃を和らげることができる。
【００５３】
前記実施例では請求項５に対応して、ベルト本体１の内側に設けられる腰当て部４の表面に多孔シート部材30を設けると共に、この多孔シート部材30の裏側に、可撓性の弾性紐状部材39を交差するように接続して凸部39Ａを形成し、多孔シート部材30の１個当たりの開孔の開口面積Ｓ１，Ｓ２よりも、１個当たりの開口面積Ｓ３が大きい開孔31を有する芯材32を設けたことにより、多孔シート部材30の裏側により開口面積が大きい芯材32を設けたことで、芯材32によって腰当て部４の変形を阻止して、常時適正な形状で腰に当てることができる。さらに、この芯材32は開口面積が大きい開口部を有しているので通気性に優れ、しかも、芯材32は可撓性の糸材を交差するように接続したものであるため、凹凸を有してクッション性を発揮でき、作業中などにおいてベルト本体１の腰側への衝撃をいっそう和らげることができる。
【００５４】
前記実施例では請求項６に対応して、ベルト本体１の内側に設けられる腰当て部４の表面に多孔シート部材30を設けると共に、この多孔シート部材30の裏側に弾性材からなる弾性芯材33を設けたことで、弾性芯材33によって腰当て部４を支持してその変形を阻止して、弾性芯材33の弾性により作業中などにおいてベルト本体１の腰側への衝撃をいっそう和らげることができる。
【００５５】
前記実施例では請求項７に対応して、ベルト本体１は内側に腰当て部４を設けると共に、該腰当て部４の外側に隙間５を介して帯部３を横向きに設け、この帯部３の第１の内側部11を隙間５を介して覆う第２の内側部15、帯部３の第１の外側部12、第１の上側部13及び第１の下側部14をそれぞれ覆う第２の外側部16、第２の上側部17及び第２の下側部18を有して帯部３に遊挿する環状部19と、基端を第２の上側部17側に接続すると共に先端を第２の外側部16の外側に配置する第１のバンド20と、基端を第２の下側部18側に接続すると共に先端を第２の外側部16の外側に配置する第２のバンド21と、第１のバンド20の先端と第２のバンド21の先端との間に介在する接続手段22とを備えたことで、ループ状に形成されている環状部19に対して帯部３が遊挿しているので、第１の挿通具６が帯部３より抜け出るようなことはなく、紛失のおそれをなくすことができる。
【００５６】
前記実施例では請求項８に対応して、接続手段22が、第１のバンド20の先端と第２のバンド21の先端にそれぞれ設けられるベルベットファスナーであることで、腰ベルトを取り付け後にワンタッチで先端相互を接続することができる。
【００５７】
前記実施例では請求項９に対応して、弾性バンドを介在することで、弾性バンドを緊張状態で吊り下げ用ベルを腰に取り付けることで、吊り下げ用ベルトを腰に仮固定することができる。
【００５８】
前記実施例では請求項１０に対応して、弾性バンド８はベルベットファスナーを介して着脱自在に設けられるので、ワンタッチで弾性バンドをつなげたり、外すことができる。また、弾性バンド８の緊張力でベルト本体１を単独で装着することができる。
【００５９】
前記実施例では請求項１１に対応して、ベルト本体１の長手方向における中央部の第一の縦幅Ｘを、両側部における第二の縦幅Ｙより大きく形成することで、ベルト本体１と作業員Ｍの腰後ろ側でのベルト本体１との接触面積を大きくすることができる。
【００６０】
前記実施例では請求項１３に対応して、前記ベルト本体１に局部的に補強板38Ａを設けたことで、ベルト本体１がコルセットのように体を支える箇所ができ、腰周りの補強を行うことができる。
【実施例２】
【００６１】
図５は実施例２を示しており、前記実施例１と同一部分には同一符号を付し、その詳細な説明を省略する。実施例２ではベルト本体１の長手方向における縦幅Ｚをほぼ同じに形成したもので、ベルト本体１は腰まわりに均等に接触することができる。
【産業上の利用可能性】
【００６２】
以上のように本考案にかかる工具類の吊り下げ用ベルトは、各種の用途に適用できる。
【図面の簡単な説明】
【００６３】
【図１】本考案の第１実施例を示す一部切り欠き平面図である。
【図２】同斜視図である。
【図３】同第１の挿通具まわりの断面図である。
【図４】同第２の挿通具まわりの断面図である。
【図５】本考案の第２実施例を示す一部切り欠き平面図である。
【符号の説明】
【００６４】
１  ベルト本体
２  吊り下げ用受け部
３  帯部
４  腰当て部
６，７  挿通具
８  弾性バンド
10  第２のベルベットファスナー
11  第１の内側部
12  第１の外側部
13  第１の上側部
14  第１の下側部
15  第２の内側部
16  第２の外側部
17  第２の上側部
18  第２の下側部
19  環状部
20  第１のバンド
21  第２のバンド
22  接続手段（第１のベルベットファスナー）
30  多孔シート部材
31  開孔
32  芯材
33  弾性芯材
35  第１の多孔部
36  第２の多孔部
37  ゴム層
38Ａ  補強板
39  弾性紐状部材
Ｂ  腰ベルト
Ｘ Ｙ Ｚ  縦幅
【図１】
0003152318.tif 000003
【図２】
0003152318.tif 000004
【図３】
0003152318.tif 000005
【図４】
0003152318.tif 000006
【図５】
0003152318.tif 000007
【手続補正書】
【提出日】平成21年4月14日(2009.4.14)
【手続補正１】
【補正対象書類名】実用新案登録請求の範囲
【補正対象項目名】請求項７
【補正方法】変更
【補正の内容】
【請求項７】
腰ベルトの第１の挿通具を設けた横長な帯状体からなるベルト本体と、工具類の吊り下げ用受け部を備えた工具類の吊り下げ用ベルトにおいて、前記ベルト本体は内側に腰当て部を設けると共に、該腰当て部の外側に隙間を介して帯部を横向きに設け、この帯部の第１の内側部を前記隙間を介して覆う第２の内側部、前記帯部の第１の外側部、第１の上側部及び第１の下側部をそれぞれ覆う第２の外側部、第２の上側部及び第２の下側部を有して前記帯部に遊挿する環状部と、基端を前記第２の上側部側に接続すると共に先端を前記第２の外側部の外側に配置する第１のバンドと、基端を前記第２の下側部側に接続すると共に先端を前記第２の外側部の外側に配置する第２のバンドと、前記第１のバンドの先端と前記第２のバンドの先端との間に介在する接続手段とを備えたことを特徴とする工具類の吊り下げ用ベルト。
【手続補正２】
【補正対象書類名】実用新案登録請求の範囲
【補正対象項目名】請求項９
【補正方法】変更
【補正の内容】
【請求項９】
腰ベルトの挿通具を設けた横長な帯状体からなるベルト本体と、工具類の吊り下げ用受け部を備えた工具類の吊り下げ用ベルトにおいて、前記ベルト本体の横向き方向の両側先端間に弾性バンドを介在することを特徴とする工具類の吊り下げ用ベルト。
【手続補正書】
【提出日】平成21年5月22日(2009.5.22)
【手続補正１】
【補正対象書類名】実用新案登録請求の範囲
【補正対象項目名】請求項８
【補正方法】変更
【補正の内容】
【請求項８】
前記接続手段が、前記第１のバンドの先端と第２のバンドの先端にそれぞれ設けられる第１のベルベットファスナーであることを特徴とする請求項７記載の工具類の吊り下げ用ベルト。